(57)【要約】【課題】簡単且つ安価な構成でもって、不鮮明な画面から鮮明な画面にして出題が可能なカードゲーム装置を提供すること。【解決手段】解答画面が表面に表示されたカードを収容するカード収容空間を有し、前記カード収容空間に収容される前記カードの前記解答画面を視認するための第１の視認用窓を有するケースを備え、前記装置本体には、前記カード収容空間に収容される前記カードの表面に対面し該カードの表面に対して相対的に離接する方向に移動可能で、且つ、該カードの表面との距離に応じて前記第１の視認用窓を通しての前記解答画面の可視度が変化する光拡散板と、前記カード収容空間に収容される前記カードの表面と前記光拡散板との距離を徐々に又は段階的に変更させて前記可視度を変化させる可視度調節手段と、が設けられている。【選択図】  図１
2011143093.tif 000002
【特許請求の範囲】
【請求項１】
解答画面が表面に表示されたカードを収容するカード収容空間を有し、前記カード収容空間に収容される前記カードの前記解答画面を視認するための第１の視認用窓を有するケースを備え、
前記装置本体には、
前記カード収容空間に収容される前記カードの表面に対面し該カードの表面に対して相対的に離接する方向に移動可能で、且つ、該カードの表面との距離に応じて前記第１の視認用窓を通しての前記解答画面の可視度が変化する光拡散板と、
前記カード収容空間に収容される前記カードの表面と前記光拡散板との距離を徐々に又は段階的に変更させて前記可視度を変化させる可視度調節手段と、が設けられていることを特徴とするカードゲーム装置。
【請求項２】
前記カードを備え、前記カードには、前記解答画面に対応するヒント画面が表示され、前記カードの裏面には、前記解答画面に対応するヒント画面が表示され、前記装置本体には、前記カード収容空間に収容される前記カードの前記ヒント画面を視認するための第２の視認用窓が設けられていることを特徴とする請求項１に記載のカードゲーム装置。
【請求項３】
前記カードを備え、前記カードの表面には、前記解答画面の他に、前記解答画面に対応するヒント画面が表示され、前記装置本体には、前記カード収容空間に収容される前記カードの前記ヒント画面を視認するための第２の視認用窓が設けられていることを特徴とする請求項１に記載のカードゲーム装置。
【請求項４】
前記装置本体には、
前記ヒント画面を遮蔽する遮蔽位置と該ヒント画面を露出させる露出位置との間で移動可能なヒント遮蔽部材と、
前記ヒント遮蔽部材を移動させて前記ヒント画面を遮蔽し又は露出させるヒント繰出し手段と、が設けられていることを特徴とする請求項３に記載のカードゲーム装置。
【請求項５】
前記カードの表面には前記ヒント画面が複数並んで表示され、前記ヒント繰出し手段は前記ヒント遮蔽部材を移動させて前記ヒント画面の露出数を順次に増加させることができるように構成されていることを特徴とする請求項４に記載のカードゲーム装置。
【請求項６】
前記可視度調節手段は、人為的操作可能な第１の操作子を備え、前記第１の操作子の人為的操作によって作動するように構成されていることを特徴とする請求項１から請求項５いずれか一項に記載のカードゲーム装置。
【請求項７】
前記ヒント繰出し手段は、人為的操作可能な第２の操作子を備え、前記第２の操作子の人為的操作によって作動するように構成されていることを特徴とする請求項４又は請求項５に記載のカードゲーム装置。
【発明の詳細な説明】
【技術分野】
【０００１】
本発明は、ケース内にカードを装填させ、そのカードの画像の鮮明度を段階的に高め、どの段階でカードの画像を読取ることができるかを競うカードゲーム装置に関するものである。
【背景技術】
【０００２】
従来、識別名が付された一連の画像であって、時間順に変化するこの一連の画像を出力する表示手段を有し、低解像度のモザイク表示から高精度の精細表示に変化させた画像を一連の画像としてこの表示手段に表示し、選択手段により選択された識別名と前記画像に付された識別名との合致の有無を判別し、一致した場合に前記表示手段に正解表示を出力するように構成された画像識別遊戯装置が知られている（例えば、特許文献１）。
【先行技術文献】
【特許文献】
【０００３】
【特許文献１】特開平９−７５５５１号公報
【発明の概要】
【発明が解決しようとする課題】
【０００４】
上記特許文献１の画像識別遊戯装置は、コンピュータを内蔵するものであり、モザイク表示から高精度の精細表示に変化させるためのプログラムが必要となり、自ずと、高価になってしまうという問題があった。
しかし一方で、テレビ番組などで、モザイク表示から高精度の精細表示に変化させるゲームが放映されていることから、それに似通ったゲームを行える安価なゲーム装置が望まれている。
【０００５】
本発明は、かかる問題点に鑑みなされたもので、簡単且つ安価な構成でもって、不鮮明な画面から鮮明な画面にして出題が可能なカードゲーム装置を提供することを目的とする。
【課題を解決するための手段】
【０００６】
請求項１の発明は、
解答画面が表面に表示されたカードを収容するカード収容空間を有し、前記カード収容空間に収容される前記カードの前記解答画面を視認するための第１の視認用窓を有するケースを備え、
前記装置本体には、
前記カード収容空間に収容される前記カードの表面に対面し該カードの表面に対して相対的に離接する方向に移動可能で、且つ、該カードの表面との距離に応じて前記第１の視認用窓を通しての前記解答画面の可視度が変化する光拡散板と、
前記カード収容空間に収容される前記カードの表面と前記光拡散板との距離を徐々に又は段階的に変更させて前記可視度を変化させる可視度調節手段と、が設けられていることを特徴とするカードゲーム装置である。
【０００７】
請求項２の発明は、請求項１に記載のカードゲーム装置において、前記カードを備え、前記カードの裏面には、前記解答画面に対応するヒント画面が表示され、前記装置本体には、前記カード収容空間に収容される前記カードの前記ヒント画面を視認するための第２の視認用窓が設けられていることを特徴とする。
【０００８】
請求項３の発明は、請求項１に記載のカードゲーム装置において、前記カードを備え、前記カードの表面には、前記解答画面の他に、前記解答画面に対応するヒント画面が表示され、前記装置本体には、前記カード収容空間に収容される前記カードの前記ヒント画面を視認するための第２の視認用窓が設けられていることを特徴とする。
【０００９】
請求項４の発明は、請求項３に記載のカードゲーム装置において、前記装置本体には、前記ヒント画面を遮蔽する遮蔽位置と該ヒント画面を露出させる露出位置との間で移動可能なヒント遮蔽部材と、前記ヒント遮蔽部材を移動させて前記ヒント画面を遮蔽し又は露出させるヒント繰出し手段と、が設けられていることを特徴とする。
【００１０】
請求項５の発明は、請求項４に記載のカードゲーム装置において、前記カードの表面には前記ヒント画面が複数並んで表示され、前記ヒント繰出し手段は前記ヒント遮蔽部材を移動させて前記ヒント画面の露出数を順次に増加させることができるように構成されていることを特徴とする。
【００１１】
請求項６の発明は、請求項１から請求項５いずれか一項に記載のカードゲーム装置において、前記可視度調節手段は、人為的操作可能な第１の操作子を備え、前記第１の操作子の人為的操作によって作動するように構成されていることを特徴とする。
【００１２】
請求項７の発明は、請求項４又は請求項５に記載のカードゲーム装置において、前記ヒント繰出し手段は、人為的操作可能な第２の操作子を備え、前記第２の操作子の人為的操作によって作動するように構成されていることを特徴とする。
【発明の効果】
【００１３】
請求項１の発明によれば、可視度調節手段によって光拡散板とカードとの距離が相対的に変更されると、カード収容空間に収容されるカードの解答画面の可視度が徐々に又は段階的に変化するので、カードの表面に表示されている解答画面の可視度を徐々に又は段階的に解答画面が鮮明に見える方向に変化させることができる。その結果、カードの表面に表示されている解答画面をどの段階で当てられるか等のゲームを楽しむことができる。そして、このような構成を、カードと光拡散板の相対移動によって実現しているので、構造が簡単で安価なカードゲーム装置を実現できる。
【００１４】
請求項２の発明によれば、カードにヒント画面が表示されているので、２人以上でゲームを行う場合には出題者側のヒントの繰出しが容易に行えることになる。
【００１５】
請求項３の発明によれば、ヒント画面が第２の視認用窓から視認できるので、１人でもゲームを楽しむことができる。
【００１６】
請求項４の発明によれば、必要に応じて、ヒント画面を遮蔽したり、露出させたりすることができ、ゲームのバリエーションが増大することになる。
【００１７】
請求項５の発明によれば、必要に応じて、ヒントの数を増やすことができるので、解答レベルが異なる人もゲームを楽しむことができる。
【００１８】
請求項６及び請求項７の発明によれば、操作子を手動で操作するようになっているので、安価なカードゲーム装置が実現できる。
【図面の簡単な説明】
【００１９】
【図１】本発明に係るカードゲーム装置の一実施の形態を概念的に示した斜視図である。
【図２】図１に示したカードゲーム装置の分解斜視図である。
【図３】ダイヤルの位置決め手段を示した側面図である。
【図４】図２に示したカードゲーム装置の各部品を組み付けた状態を示した斜視図である。
【図５】図４におけるＶ−Ｖ線断面図である。
【図６】図４におけるＶＩ−ＶＩ線断面図である。
【図７】図４におけるＶＩＩ−ＶＩＩ線断面図である。
【図８】解答画面の鮮明度を（Ａ）〜（Ｂ）に段階的に示した図である。
【図９】視認されるヒント画面を段階的に示した図である。
【発明を実施するための形態】
【００２０】
以下に、本発明に係るカードゲーム装置の一実施形態について図面を参照しながら説明する。
【００２１】
本実施形態のカードゲーム装置は、図１に示すように、カード１０と、カード１０を収容する装置本体２０とによって構成されている。
【００２２】
（カード１０の構成）
カード１０は例えば矩形状に形成されている。このカード１０の表面には、上半部に絵柄からなる解答画面１１が表示されており、下半部に文字列からなるヒント画面１２ａ，１２ｂ，１２ｃ（以下、これらヒントを総称する場合には符号１２を用いる。）が表示されている。例えば、解答が「ウサギ」の場合、解答画面１１には「ウサギ」の絵柄が表示され、ヒント画面１２ａには「ほ乳類」、ヒント画面１２ｂには「十二支の１つ」、ヒント画面１２ｃには「耳が長い」等の文字列が表示される。解答画面１１は絵柄によって構成されていることが好ましいが、漢字当てクイズのような場合には解答となる漢字が表示されていてもよい。
実施形態では、図示はしないが、解答画面１１及びヒント画面１２が異なる複数のカードを備えている。
【００２３】
（装置本体１０の構成）
１．ケース２１の外観構成
装置本体２０のケース２１は箱状に形成されている。この装置本体２０は、図２に示すように、表側ケース部２１ａと裏側ケース部２１ｂとを備えている。
【００２４】
表側ケース部２１ａには、表面上部に解答画面１１を視認するための解答視認用窓２２が形成され、表面下部にヒント画面１２を視認するためのヒント視認用窓２３が形成されている。
表面ケース部２１ａには、また、解答視認用窓２１及びヒント視認用窓２２を内側から同時に覆うように、１枚の透明板２５が貼設されている。
表面ケース部２１ａには、さらに、解答視認用窓２１の横隣に位置しダイヤル３４の一部を露出させるための孔３５と、ヒント視認用窓２３の横隣に位置しダイヤル４８の一部を露出させるための孔４９とが形成されている。
また、表面ケース部２１ａの内面には、図３に示すように、孔３５の近傍にボス３８が立設され、このボス３８には、板ばねによって形成された弾性爪３９の一端部が固定されている。この弾性片３９は、ダイヤル３４の回転位置の位置決めを行うためのものである。図３に示すように、表面ケース部２１ａの内面には、また、孔４９の近傍にボス５２が立設され、このボス５２には、板ばねによって形成された弾性爪５３の一端部が固定されている。この弾性片５３は、ダイヤル４８の回転位置の位置決めを行うためのものである。
【００２５】
この表面ケース部２１ａと裏側ケース部２１ｂとは、図示しないビスによって互いに結合され、中空のケース２１を構成している。そして、ケース２１の上面には、カード１０を挿入するためのカード挿入口２４ａが形成されている。また、ケース２１の一側面には、スライド式摘み４０を露出させるための孔２４ｂが形成されている。
【００２６】
２．ケース２１の内部構成
図２に示すように、ケース２１の内部には、光拡散板２７、中板２６、カムプレート３０及びヒント遮蔽部材４５が設置されている。
【００２７】
光拡散板２７は、カード１０との距離に応じて、解答画面１１の可視度を変更させるものである。この光拡散板２７は、解答視認用窓２２の内側に設置されている。この光拡散板２７は例えば矩形状に形成されている。この光拡散板２７は、透明ガラス板，透明樹脂板等の透明板体に拡散シート，拡散フィルムを張設して構成されている。なお、この光拡散板２７は、透明ガラスに直接表面処理を施した曇りガラス板等によって構成されていてもよい。要は、カード１０との距離に応じて、解答画面１１の可視度を変更させることである。
この光拡散板２７の両側面のそれぞれには各２本のピン２８が立設されている。
【００２８】
中板２６は、透明板２５の全体を覆うように該透明板２５に対向して配置される背板２６ｂと、この背板２６ｂにおける幅方向の両縁部からそれぞれ透明板２５に向けて起立する各１つの起立部２６ａとから構成されている。
背板２６ｂは透明板となっている。この背板２６ｂには、ケース２１の上下方向に延在する長孔４４が１つ形成されている。
各起立部２６ａには、表裏方向に延在し透明板２５側の端部にまで達する各２個の長孔２９が形成されている。
中板２６における２つの起立部２６ａ，２６ａの間には上記光拡散板２７が設置されている。そして、各長孔２９には、光拡散板２７のピン２８が１つずつ挿嵌されている。
さらに、中板２６における一方の起立部２６ａには切欠き２６ｃが形成されている。
【００２９】
カムプレート３０は、上記中板２６の背板２６ｂに対向して配置される背板３０ｂと、この背板３０ｂにおける幅方向の両縁部からそれぞれ透明板２５に向けて起立する各１つの起立部３０ａとから構成されている。
背板３０ｂの幅は中板２６の背板２６ｂの幅よりも大きく、図４に示すように、カムプレート３０を設置した状態では、２つの起立部３０ａが中板２６を跨ぐようになっている。また、カムプレート３０を設置した状態では、カムプレート３０の背板３０ｂと中板２６の背板２６ｂとの間には、カード１０の厚みよりも僅かに大きい隙間が形成され、その隙間がカード収容空間３３を構成している。さらに、カムプレート３０を設置した状態では、カムプレート３０の起立部３０ａの内面と、中板２６の起立部２６ａの内面とが軽く当接するようになっている。
各起立部３０ａには、表裏方向に対して傾斜する各２個の長孔３１が形成されている。そして、各長孔３１には、光拡散板２７のピン２８の先端部が１つずつ挿嵌されている。
さらに、カムプレート３０における一方の起立部３０ａには上下方向に延在する直線状のラック３２が形成されている。
【００３０】
ヒント遮蔽部材４５は、ヒント画面１２を遮蔽するための本体４５ａと、本体４５ａの幅方向の一側面に形成され上下方向に延在する直線状のラック４７とを備えている。また、本体４５ａとラック４７とは連結部材４６を介して連結され、本体４５ａとラック４７との間には、中板２６の起立部２６ａの厚み分の隙間が形成されている。
このヒント遮蔽部材４５は、本体４５ａが中板２６の２つの起立部２６ａ，２６ａの間に位置し、ラック４７が中板２６の外側に位置するように設置されている。
このヒント遮蔽部材４５は、中板２６に対して上下方向に移動可能となっている。
【００３１】
また、図２、図４から図６に示すように、ケース２１には、可視度調節手段Ａ及びヒント繰出し手段Ｂが設置されている。
【００３２】
可視度調節手段Ａは、光拡散板２７をカード１０に対して離間又は接近させることで解答画面１１の可視度を調節するためのものである。この可視度調節手段Ａは、ダイヤル３４、カムプレート３０、中板２６、及び光拡散板２７のピン２８から構成されている。
すなわち、ダイヤル３４の軸にはピニオン３６が付設されている。このピニオン３６は、カムプレート３０のラック３２に噛合している。したがって、ダイヤル３４を回転させると、その動力はピニオン３６及びラック３２を通じてカムプレート３０に伝達され、カムプレート３０は上下方向に移動する。これによって、光拡散板２７はカード１０に対して離間又は接近する。
なお、可視度調節手段Ａは、ダイヤル３４の代わりにモータを備えることもできる。
【００３３】
ヒント繰出し手段Ｂは、ヒント遮蔽部材４５を上下方向に移動させることでヒント画面１２を段階的に露出させるためのものである。このヒント繰出し手段Ｂは、ダイヤル４８及びヒント遮蔽部材４５から構成されている。
すなわち、ダイヤル４８の軸にはピニオン５０が付設されている。このピニオン５０は、ヒント遮蔽部材４５のラック４７に噛合している。したがって、ダイヤル４８を回転させると、その動力はピニオン５０及びラック４７を通じてヒント遮蔽部材４５に伝達され、ヒント遮蔽部材４５は上下方向に移動する。これによって、ヒント画面１２が遮蔽され又は露出することになる。
なお、ヒント繰出し手段Ｂは、ダイヤル４８の代わりにモータを備えることもできる。      
【００３４】
また、図３及び図４に示すように、ケース２１には、可視度を段階的に変更させるための位置決め手段Ｃと、ヒント画面１２を段階的に露出させるための位置決め手段Ｄとが設置されている。
【００３５】
位置決め手段Ｃは、ダイヤル３４の軸に付設された爪車３７と、この爪車３７に係合する弾性爪３９とから構成されている。爪車３７は、弾性爪３９との共働によって、ダイヤル３４の回転の際にクリック感を生じさせるものである。この爪車３７は３つの歯３７ａを有している。
この位置決め手段Ｃによれば、ダイヤル３４を回転させた際、歯３７ａが弾性爪３９に当たると、歯３７ａからの押圧力によって弾性爪３９が撓められ、その後、歯３７ａが弾性爪３９を越えると、弾性爪３９が元の状態に復帰される。これによって、ダイヤル３４の位置決めがなされる。本実施の形態では、ダイヤル３４の１回転で３回の位置決めがなされる。
なお、弾性爪３９の代わりに、突子とコイルばねを設け、コイルばねの付勢力によって突子を爪車３７の周面に当接させるようにしてもよい。
【００３６】
位置決め手段Ｄは、ダイヤル４８の軸に付設された爪車５１と、この爪車５１に係合する弾性爪４９とから構成されている。爪車５１は、弾性爪４９との共働によって、ダイヤル４８の回転の際にクリック感を生じさせるものである。この爪車５１は３つの歯５１ａを有している。
この位置決め手段Ｄによれば、ダイヤル４８を回転させた際、歯５１ａが弾性爪４９に当たると、歯５１ａからの押圧力によって弾性爪４９が撓められ、その後、歯５１ａが弾性爪４９を越えると、弾性爪４９が元の状態に復帰される。これによって、ダイヤル４８の位置決めがなされる。本実施の形態では、ダイヤル４９の１回転で３回の位置決めがなされる。
なお、弾性爪５３の代わりに、突子とコイルばねを設け、コイルばねの付勢力によって突子を爪車５１の周面に当接させるようにしてもよい。
【００３７】
また、図２、図４及び図７に示すように、ケース２１には、カード収容空間３３に収容されているカード１０をケース２１から排出するためのカード排出手段Ｅが設置されている。
このカード排出手段Ｅはスライド式操作摘み４０から構成されている。すなわち、スライド式操作摘み４０には、図２に示すように、相対向する面に溝４１がそれぞれ形成されている。このスライド式操作摘み４０は、先端４２ａがＬ字状に曲折されたアーム４２を有している。そして、図７に示すように、スライド式操作摘み４０の溝４１が、表側ケース部２１ａ及び裏側ケース部２１ｂの側壁に摺動可能に嵌合され、アーム４２の先端部４２ａが中板２６の長孔４４に挿嵌されている。
このカード排出手段Ｅによれば、カード１０をカード挿入口２４ａに押し込むと、カード１０によってアーム４２が押圧されてスライド式操作摘み４０は下方に移動し、カード収容空間３３にカード１０が収容される。一方、カード１０をケース２１から取り出す場合には、スライド式操作摘み４０を上方へ移動させると、カード１０がアーム４２によって上方に向けて押圧され、カード挿入口２４から排出される。
【００３８】
次に、このカードゲーム装置の使用方法の一例を説明する。
最初に、ダイヤル３４の操作によって、光拡散板２７を透明板２５に最も近くなる位置まで移動させておく。また、ダイヤル４８の操作によって、ヒント遮蔽部材４５をカード１０のヒント画面１２ａ，１２ｂ，１２ｃが遮蔽可能な位置まで移動しておく。
この状態で、カード挿入口２４ａからケース２０内に装填する。
この状態では、解答視認用窓２２を通して図８（Ａ）に示すような状態の画面が視認される。つまり、解答視認用窓２２を通して解答画面１１はほとんど視認できない。したがって、解答者の解答は期待できない。
次に、ダイヤル４８を１段階操作する。すると、図９（Ａ）に示すように、ヒント視認用窓２３を通してヒント画面１２ａが露出する。
この状態で、解答者は、ヒント画面１２ａを見た上で、解答を試みる。
【００３９】
この場合、解答者が解答できないとき、又は解答が間違っているときには、ダイヤル４８をもう１段階操作する。すると、図９（Ｂ）に示すように、ヒント視認用窓２３を通してヒント画面１２ｂが露出する。このダイヤル４８の操作の際に、ダイヤル３４を操作し、図８（Ｂ）に示すように、カード１０の解答画面１１の可視度をもう１段階向上させてもよい。なお、この場合、ダイヤル３４の操作をダイヤル４８の操作に先行させてもよい。
【００４０】
それでもなお、解答者が解答できないとき、又は解答が間違っているときには、ダイヤル４８をもう１段階操作する。すると、図９（Ｃ）に示すように、ヒント視認用窓２３を通してヒント画面１２ｃが露出する。このダイヤル４８の操作の際に、ダイヤル３４を操作し、図８（Ｃ）に示すように、カード１０の解答画面１１の可視度をもう１段階向上させてもよい。なお、この場合、ダイヤル３４の操作をダイヤル４８の操作に先行させてもよい。
【００４１】
このようにしてゲームが展開される。
【００４２】
以上、本発明の実施形態について説明したが、本発明は、かかる実施形態に限定されるものではなく、その要旨を変更しない範囲で、種々の変形が可能であることはいうまでもない。
【００４３】
例えば、上記実施形態では、光拡散板３０を移動させるようにしたが、光拡散板３０を固定しておいて、カード１０を移動させるようにしてもよい。この場合、光拡散板３０を移動させる手段と同じ手段でカード１０を移動させればよい。
【００４４】
上記実施形態では、カム機構によって光拡散板３０を移動させるようにしたが、光拡散板３０に該拡散板３０を貫通する雌ねじを設け、その雌ねじに雄ねじを螺合させ、その雄ねじを回転することによって、光拡散板３０を移動させるようにしてもよい。なお、光拡散板３０の代わりに、カード１０を移動させる場合には、カード支持部材に雌ねじを設けて、先と同様な方法によって、カード１０を移動させることができる。
また、４節リンク機構で構成される平行運動機構でもって、光拡散板３０やカード１０を移動させるようにしてもよい。
【符号の説明】
【００４５】
１０    カード        
１１    解答画面
１２，１２ａ〜１２ｃ    ヒント画面
２０    装置本体
２１    ケース
２２    解答視認用窓
２３    ヒント視認用窓
２７    光拡散板
３３    カード収容空間
３４    ダイヤル
４５    ヒント遮蔽部材
４８    ダイヤル
【図１】
2011143093.tif 000003
【図２】
2011143093.tif 000004
【図３】
2011143093.tif 000005
【図４】
2011143093.tif 000006
【図５】
2011143093.tif 000007
【図６】
2011143093.tif 000008
【図７】
2011143093.tif 000009
【図８】
2011143093.tif 000010
【図９】
2011143093.tif 000011
【手続補正書】
【提出日】平成22年9月6日(2010.9.6)
【手続補正１】
【補正対象書類名】明細書
【補正対象項目名】全文
【補正方法】変更
【補正の内容】
【発明の詳細な説明】
【技術分野】
【０００１】
本発明は、ケース内にカードを装填させ、そのカードの画像の鮮明度を段階的に高め、どの段階でカードの画像を読取ることができるかを競うカードゲーム装置に関するものである。
【背景技術】
【０００２】
従来、識別名が付された一連の画像であって、時間順に変化するこの一連の画像を出力する表示手段を有し、低解像度のモザイク表示から高精度の精細表示に変化させた画像を一連の画像としてこの表示手段に表示し、選択手段により選択された識別名と前記画像に付された識別名との合致の有無を判別し、一致した場合に前記表示手段に正解表示を出力するように構成された画像識別遊戯装置が知られている（例えば、特許文献１）。
【先行技術文献】
【特許文献】
【０００３】
【特許文献１】特開平９−７５５５１号公報
【発明の概要】
【発明が解決しようとする課題】
【０００４】
上記特許文献１の画像識別遊戯装置は、コンピュータを内蔵するものであり、モザイク表示から高精度の精細表示に変化させるためのプログラムが必要となり、自ずと、高価になってしまうという問題があった。
しかし一方で、テレビ番組などで、モザイク表示から高精度の精細表示に変化させるゲームが放映されていることから、それに似通ったゲームを行える安価なゲーム装置が望まれている。
【０００５】
本発明は、かかる問題点に鑑みなされたもので、簡単且つ安価な構成でもって、不鮮明な画面から鮮明な画面にして出題が可能なカードゲーム装置を提供することを目的とする。
【課題を解決するための手段】
【０００６】
請求項１の発明は、
解答画面が表面に表示されたカードを収容するカード収容空間を有し、前記カード収容空間に収容される前記カードの前記解答画面を視認するための第１の視認用窓を有する装置本体を備え、
前記装置本体には、
前記カード収容空間に収容される前記カードの表面に対面し該カードの表面に対して相対的に離接する方向に移動可能で、且つ、該カードの表面との距離に応じて前記第１の視認用窓を通しての前記解答画面の可視度が変化する光拡散板と、
前記カード収容空間に収容される前記カードの表面と前記光拡散板との距離を徐々に又は段階的に変更させて前記可視度を変化させる可視度調節手段と、が設けられていることを特徴とするカードゲーム装置である。
【０００７】
請求項２の発明は、請求項１に記載のカードゲーム装置において、前記カードを備え、前記カードの裏面には、前記解答画面に対応するヒント画面が表示され、前記装置本体には、前記カード収容空間に収容される前記カードの前記ヒント画面を視認するための第２の視認用窓が設けられていることを特徴とする。
【０００８】
請求項３の発明は、請求項１に記載のカードゲーム装置において、前記カードを備え、前記カードの表面には、前記解答画面の他に、前記解答画面に対応するヒント画面が表示され、前記装置本体には、前記カード収容空間に収容される前記カードの前記ヒント画面を視認するための第２の視認用窓が設けられていることを特徴とする。
【０００９】
請求項４の発明は、請求項３に記載のカードゲーム装置において、前記装置本体には、前記ヒント画面を遮蔽する遮蔽位置と該ヒント画面を露出させる露出位置との間で移動可能なヒント遮蔽部材と、前記ヒント遮蔽部材を移動させて前記ヒント画面を遮蔽し又は露出させるヒント繰出し手段と、が設けられていることを特徴とする。
【００１０】
請求項５の発明は、請求項４に記載のカードゲーム装置において、前記カードの表面には前記ヒント画面が複数並んで表示され、前記ヒント繰出し手段は前記ヒント遮蔽部材を移動させて前記ヒント画面の露出数を順次に増加させることができるように構成されていることを特徴とする。
【００１１】
請求項６の発明は、請求項１から請求項５いずれか一項に記載のカードゲーム装置において、前記可視度調節手段は、人為的操作可能な第１の操作子を備え、前記第１の操作子の人為的操作によって作動するように構成されていることを特徴とする。
【００１２】
請求項７の発明は、請求項４又は請求項５に記載のカードゲーム装置において、前記ヒント繰出し手段は、人為的操作可能な第２の操作子を備え、前記第２の操作子の人為的操作によって作動するように構成されていることを特徴とする。
【発明の効果】
【００１３】
請求項１の発明によれば、可視度調節手段によって光拡散板とカードとの距離が相対的に変更されると、カード収容空間に収容されるカードの解答画面の可視度が徐々に又は段階的に変化するので、カードの表面に表示されている解答画面の可視度を徐々に又は段階的に解答画面が鮮明に見える方向に変化させることができる。その結果、カードの表面に表示されている解答画面をどの段階で当てられるか等のゲームを楽しむことができる。そして、このような構成を、カードと光拡散板の相対移動によって実現しているので、構造が簡単で安価なカードゲーム装置を実現できる。
【００１４】
請求項２の発明によれば、カードにヒント画面が表示されているので、２人以上でゲームを行う場合には出題者側のヒントの繰出しが容易に行えることになる。
【００１５】
請求項３の発明によれば、ヒント画面が第２の視認用窓から視認できるので、１人でもゲームを楽しむことができる。
【００１６】
請求項４の発明によれば、必要に応じて、ヒント画面を遮蔽したり、露出させたりすることができ、ゲームのバリエーションが増大することになる。
【００１７】
請求項５の発明によれば、必要に応じて、ヒントの数を増やすことができるので、解答レベルが異なる人もゲームを楽しむことができる。
【００１８】
請求項６及び請求項７の発明によれば、操作子を手動で操作するようになっているので、安価なカードゲーム装置が実現できる。
【図面の簡単な説明】
【００１９】
【図１】本発明に係るカードゲーム装置の一実施の形態を概念的に示した斜視図である。
【図２】図１に示したカードゲーム装置の分解斜視図である。
【図３】ダイヤルの位置決め手段を示した側面図である。
【図４】図２に示したカードゲーム装置の各部品を組み付けた状態を示した斜視図である。
【図５】図４におけるＶ−Ｖ線断面図である。
【図６】図４におけるＶＩ−ＶＩ線断面図である。
【図７】図４におけるＶＩＩ−ＶＩＩ線断面図である。
【図８】解答画面の鮮明度を（Ａ）〜（Ｂ）に段階的に示した図である。
【図９】視認されるヒント画面を段階的に示した図である。
【発明を実施するための形態】
【００２０】
以下に、本発明に係るカードゲーム装置の一実施形態について図面を参照しながら説明する。
【００２１】
本実施形態のカードゲーム装置は、図１に示すように、カード１０と、カード１０を収容する装置本体２０とによって構成されている。
【００２２】
（カード１０の構成）
カード１０は例えば矩形状に形成されている。このカード１０の表面には、上半部に絵柄からなる解答画面１１が表示されており、下半部に文字列からなるヒント画面１２ａ，１２ｂ，１２ｃ（以下、これらヒントを総称する場合には符号１２を用いる。）が表示されている。例えば、解答が「ウサギ」の場合、解答画面１１には「ウサギ」の絵柄が表示され、ヒント画面１２ａには「ほ乳類」、ヒント画面１２ｂには「十二支の１つ」、ヒント画面１２ｃには「耳が長い」等の文字列が表示される。解答画面１１は絵柄によって構成されていることが好ましいが、漢字当てクイズのような場合には解答となる漢字が表示されていてもよい。
実施形態では、図示はしないが、解答画面１１及びヒント画面１２が異なる複数のカードを備えている。
【００２３】
（装置本体１０の構成）
１．ケース２１の外観構成
装置本体２０のケース２１は箱状に形成されている。この装置本体２０は、図２に示すように、表側ケース部２１ａと裏側ケース部２１ｂとを備えている。
【００２４】
表側ケース部２１ａには、表面上部に解答画面１１を視認するための解答視認用窓２２が形成され、表面下部にヒント画面１２を視認するためのヒント視認用窓２３が形成されている。
表面ケース部２１ａには、また、解答視認用窓２２及びヒント視認用窓２３を内側から同時に覆うように、１枚の透明板２５が貼設されている。
表面ケース部２１ａには、さらに、解答視認用窓２２の横隣に位置しダイヤル３４の一部を露出させるための孔３５と、ヒント視認用窓２３の横隣に位置しダイヤル４８の一部を露出させるための孔４９とが形成されている。
また、表面ケース部２１ａの内面には、図３に示すように、孔３５の近傍にボス３８が立設され、このボス３８には、板ばねによって形成された弾性爪３９の一端部が固定されている。この弾性片３９は、ダイヤル３４の回転位置の位置決めを行うためのものである。図３に示すように、表面ケース部２１ａの内面には、また、孔４９の近傍にボス５２が立設され、このボス５２には、板ばねによって形成された弾性爪５３の一端部が固定されている。この弾性片５３は、ダイヤル４８の回転位置の位置決めを行うためのものである。
【００２５】
この表面ケース部２１ａと裏側ケース部２１ｂとは、図示しないビスによって互いに結合され、中空のケース２１を構成している。そして、ケース２１の上面には、カード１０を挿入するためのカード挿入口２４ａが形成されている。また、ケース２１の一側面には、スライド式摘み４０を露出させるための孔２４ｂが形成されている。
【００２６】
２．ケース２１の内部構成
図２に示すように、ケース２１の内部には、光拡散板２７、中板２６、カムプレート３０及びヒント遮蔽部材４５が設置されている。
【００２７】
光拡散板２７は、カード１０との距離に応じて、解答画面１１の可視度を変更させるものである。この光拡散板２７は、解答視認用窓２２の内側に設置されている。この光拡散板２７は例えば矩形状に形成されている。この光拡散板２７は、透明ガラス板，透明樹脂板等の透明板体に拡散シート，拡散フィルムを張設して構成されている。なお、この光拡散板２７は、透明ガラスに直接表面処理を施した曇りガラス板等によって構成されていてもよい。要は、カード１０との距離に応じて、解答画面１１の可視度を変更させることである。
この光拡散板２７の両側面のそれぞれには各２本のピン２８が立設されている。
【００２８】
中板２６は、透明板２５の全体を覆うように該透明板２５に対向して配置される背板２６ｂと、この背板２６ｂにおける幅方向の両縁部からそれぞれ透明板２５に向けて起立する各１つの起立部２６ａとから構成されている。
背板２６ｂは透明板となっている。この背板２６ｂには、ケース２１の上下方向に延在する長孔４４が１つ形成されている。
各起立部２６ａには、表裏方向に延在し透明板２５側の端部にまで達する各２個の長孔２９が形成されている。
中板２６における２つの起立部２６ａ，２６ａの間には上記光拡散板２７が設置されている。そして、各長孔２９には、光拡散板２７のピン２８が１つずつ挿嵌されている。
さらに、中板２６における一方の起立部２６ａには切欠き２６ｃが形成されている。
【００２９】
カムプレート３０は、上記中板２６の背板２６ｂに対向して配置される背板３０ｂと、この背板３０ｂにおける幅方向の両縁部からそれぞれ透明板２５に向けて起立する各１つの起立部３０ａとから構成されている。
背板３０ｂの幅は中板２６の背板２６ｂの幅よりも大きく、図４に示すように、カムプレート３０を設置した状態では、２つの起立部３０ａが中板２６を跨ぐようになっている。また、カムプレート３０を設置した状態では、カムプレート３０の背板３０ｂと中板２６の背板２６ｂとの間には、カード１０の厚みよりも僅かに大きい隙間が形成され、その隙間がカード収容空間３３を構成している。さらに、カムプレート３０を設置した状態では、カムプレート３０の起立部３０ａの内面と、中板２６の起立部２６ａの内面とが軽く当接するようになっている。
各起立部３０ａには、表裏方向に対して傾斜する各２個の長孔３１が形成されている。そして、各長孔３１には、光拡散板２７のピン２８の先端部が１つずつ挿嵌されている。
さらに、カムプレート３０における一方の起立部３０ａには上下方向に延在する直線状のラック３２が形成されている。
【００３０】
ヒント遮蔽部材４５は、ヒント画面１２を遮蔽するための本体４５ａと、本体４５ａの幅方向の一側面に形成され上下方向に延在する直線状のラック４７とを備えている。また、本体４５ａとラック４７とは連結部材４６を介して連結され、本体４５ａとラック４７との間には、中板２６の起立部２６ａの厚み分の隙間４６ａが形成されている。
このヒント遮蔽部材４５は、本体４５ａが中板２６の２つの起立部２６ａ，２６ａの間に位置し、ラック４７が中板２６の外側に位置するように設置されている。このヒント遮蔽部材４５は、中板２６に対して上下方向に移動可能となっている。
【００３１】
また、図２、図４から図６に示すように、ケース２１には、可視度調節手段Ａ及びヒント繰出し手段Ｂが設置されている。
【００３２】
可視度調節手段Ａは、光拡散板２７をカード１０に対して離間又は接近させることで解答画面１１の可視度を調節するためのものである。この可視度調節手段Ａは、ダイヤル３４、カムプレート３０、中板２６、及び光拡散板２７のピン２８から構成されている。
すなわち、ダイヤル３４の軸にはピニオン３６が付設されている。このピニオン３６は、カムプレート３０のラック３２に噛合している。したがって、ダイヤル３４を回転させると、その動力はピニオン３６及びラック３２を通じてカムプレート３０に伝達され、カムプレート３０は上下方向に移動する。これによって、光拡散板２７はカード１０に対して離間又は接近する。
なお、可視度調節手段Ａは、ダイヤル３４の代わりにモータを備えることもできる。
【００３３】
ヒント繰出し手段Ｂは、ヒント遮蔽部材４５を上下方向に移動させることでヒント画面１２を段階的に露出させるためのものである。このヒント繰出し手段Ｂは、ダイヤル４８及びヒント遮蔽部材４５から構成されている。
すなわち、ダイヤル４８の軸にはピニオン５０が付設されている。このピニオン５０は、ヒント遮蔽部材４５のラック４７に噛合している。したがって、ダイヤル４８を回転させると、その動力はピニオン５０及びラック４７を通じてヒント遮蔽部材４５に伝達され、ヒント遮蔽部材４５は上下方向に移動する。これによって、ヒント画面１２が遮蔽され又は露出することになる。
なお、ヒント繰出し手段Ｂは、ダイヤル４８の代わりにモータを備えることもできる。
【００３４】
また、図３及び図４に示すように、ケース２１には、可視度を段階的に変更させるための位置決め手段Ｃと、ヒント画面１２を段階的に露出させるための位置決め手段Ｄとが設置されている。
【００３５】
位置決め手段Ｃは、ダイヤル３４の軸に付設された爪車３７と、この爪車３７に係合する弾性爪３９とから構成されている。爪車３７は、弾性爪３９との共働によって、ダイヤル３４の回転の際にクリック感を生じさせるものである。この爪車３７は３つの歯３７ａを有している。
この位置決め手段Ｃによれば、ダイヤル３４を回転させた際、歯３７ａが弾性爪３９に当たると、歯３７ａからの押圧力によって弾性爪３９が撓められ、その後、歯３７ａが弾性爪３９を越えると、弾性爪３９が元の状態に復帰される。これによって、ダイヤル３４の位置決めがなされる。本実施の形態では、ダイヤル３４の１回転で３回の位置決めがなされる。
なお、弾性爪３９の代わりに、突子とコイルばねを設け、コイルばねの付勢力によって突子を爪車３７の周面に当接させるようにしてもよい。
【００３６】
位置決め手段Ｄは、ダイヤル４８の軸に付設された爪車５１と、この爪車５１に係合する弾性爪５３とから構成されている。爪車５１は、弾性爪５３との共働によって、ダイヤル４８の回転の際にクリック感を生じさせるものである。この爪車５１は３つの歯５１ａを有している。
この位置決め手段Ｄによれば、ダイヤル４８を回転させた際、歯５１ａが弾性爪５３に当たると、歯５１ａからの押圧力によって弾性爪５３が撓められ、その後、歯５１ａが弾性爪５３を越えると、弾性爪５３が元の状態に復帰される。これによって、ダイヤル４８の位置決めがなされる。本実施の形態では、ダイヤル４９の１回転で３回の位置決めがなされる。
なお、弾性爪５３の代わりに、突子とコイルばねを設け、コイルばねの付勢力によって突子を爪車５１の周面に当接させるようにしてもよい。
【００３７】
また、図２、図４及び図７に示すように、ケース２１には、カード収容空間３３に収容されているカード１０をケース２１から排出するためのカード排出手段Ｅが設置されている。
このカード排出手段Ｅはスライド式操作摘み４０から構成されている。すなわち、スライド式操作摘み４０には、図２に示すように、相対向する面に溝４１がそれぞれ形成されている。このスライド式操作摘み４０は、先端４２ａがＬ字状に曲折されたアーム４２を有している。そして、図７に示すように、スライド式操作摘み４０の溝４１が、表側ケース部２１ａ及び裏側ケース部２１ｂの側壁に摺動可能に嵌合され、アーム４２の先端部４２ａが中板２６の長孔４４に挿嵌されている。
このカード排出手段Ｅによれば、カード１０をカード挿入口２４ａに押し込むと、カード１０によってアーム４２が押圧されてスライド式操作摘み４０は下方に移動し、カード収容空間３３にカード１０が収容される。一方、カード１０をケース２１から取り出す場合には、スライド式操作摘み４０を上方へ移動させると、カード１０がアーム４２によって上方に向けて押圧され、カード挿入口２４ａから排出される。
【００３８】
次に、このカードゲーム装置の使用方法の一例を説明する。
最初に、ダイヤル３４の操作によって、光拡散板２７を透明板２５に最も近くなる位置まで移動させておく。また、ダイヤル４８の操作によって、ヒント遮蔽部材４５をカード１０のヒント画面１２ａ，１２ｂ，１２ｃが遮蔽可能な位置まで移動しておく。
この状態で、カード挿入口２４ａからケース２０内に装填する。
この状態では、解答視認用窓２２を通して図８（Ａ）に示すような状態の画面が視認される。つまり、解答視認用窓２２を通して解答画面１１はほとんど視認できない。したがって、解答者の解答は期待できない。
次に、ダイヤル４８を１段階操作する。すると、図９（Ａ）に示すように、ヒント視認用窓２３を通してヒント画面１２ａが露出する。
この状態で、解答者は、ヒント画面１２ａを見た上で、解答を試みる。
【００３９】
この場合、解答者が解答できないとき、又は解答が間違っているときには、ダイヤル４８をもう１段階操作する。すると、図９（Ｂ）に示すように、ヒント視認用窓２３を通してヒント画面１２ｂが露出する。このダイヤル４８の操作の際に、ダイヤル３４を操作し、図８（Ｂ）に示すように、カード１０の解答画面１１の可視度をもう１段階向上させてもよい。なお、この場合、ダイヤル３４の操作をダイヤル４８の操作に先行させてもよい。
【００４０】
それでもなお、解答者が解答できないとき、又は解答が間違っているときには、ダイヤル４８をもう１段階操作する。すると、図９（Ｃ）に示すように、ヒント視認用窓２３を通してヒント画面１２ｃが露出する。このダイヤル４８の操作の際に、ダイヤル３４を操作し、図８（Ｃ）に示すように、カード１０の解答画面１１の可視度をもう１段階向上させてもよい。なお、この場合、ダイヤル３４の操作をダイヤル４８の操作に先行させてもよい。
【００４１】
このようにしてゲームが展開される。
【００４２】
以上、本発明の実施形態について説明したが、本発明は、かかる実施形態に限定されるものではなく、その要旨を変更しない範囲で、種々の変形が可能であることはいうまでもない。
【００４３】
例えば、上記実施形態では、光拡散板３０を移動させるようにしたが、光拡散板３０を固定しておいて、カード１０を移動させるようにしてもよい。この場合、光拡散板３０を移動させる手段と同じ手段でカード１０を移動させればよい。
【００４４】
上記実施形態では、カム機構によって光拡散板２７を移動させるようにしたが、光拡散板２７に該拡散板２７を貫通する雌ねじを設け、その雌ねじに雄ねじを螺合させ、その雄ねじを回転することによって、光拡散板２７を移動させるようにしてもよい。なお、光拡散板２７の代わりに、カード１０を移動させる場合には、カード支持部材に雌ねじを設けて、先と同様な方法によって、カード１０を移動させることができる。
また、４節リンク機構で構成される平行運動機構でもって、光拡散板２７やカード１０を移動させるようにしてもよい。
【符号の説明】
【００４５】
１０    カード  
１１    解答画面
１２，１２ａ〜１２ｃ    ヒント画面
２０    装置本体
２１    ケース
２２    解答視認用窓
２３    ヒント視認用窓
２７    光拡散板
３３    カード収容空間
３４    ダイヤル
４５    ヒント遮蔽部材
４８    ダイヤル 
【手続補正２】
【補正対象書類名】特許請求の範囲
【補正対象項目名】全文
【補正方法】変更
【補正の内容】
【特許請求の範囲】
【請求項１】
解答画面が表面に表示されたカードを収容するカード収容空間を有し、前記カード収容空間に収容される前記カードの前記解答画面を視認するための第１の視認用窓を有する装置本体を備え、
前記装置本体には、
前記カード収容空間に収容される前記カードの表面に対面し該カードの表面に対して相対的に離接する方向に移動可能で、且つ、該カードの表面との距離に応じて前記第１の視認用窓を通しての前記解答画面の可視度が変化する光拡散板と、
前記カード収容空間に収容される前記カードの表面と前記光拡散板との距離を徐々に又は段階的に変更させて前記可視度を変化させる可視度調節手段と、が設けられていることを特徴とするカードゲーム装置。
【請求項２】
前記カードを備え、前記カードには、前記解答画面に対応するヒント画面が表示され、前記カードの裏面には、前記解答画面に対応するヒント画面が表示され、前記装置本体には、前記カード収容空間に収容される前記カードの前記ヒント画面を視認するための第２の視認用窓が設けられていることを特徴とする請求項１に記載のカードゲーム装置。
【請求項３】
前記カードを備え、前記カードの表面には、前記解答画面の他に、前記解答画面に対応するヒント画面が表示され、前記装置本体には、前記カード収容空間に収容される前記カードの前記ヒント画面を視認するための第２の視認用窓が設けられていることを特徴とする請求項１に記載のカードゲーム装置。
【請求項４】
前記装置本体には、
前記ヒント画面を遮蔽する遮蔽位置と該ヒント画面を露出させる露出位置との間で移動可能なヒント遮蔽部材と、
前記ヒント遮蔽部材を移動させて前記ヒント画面を遮蔽し又は露出させるヒント繰出し手段と、が設けられていることを特徴とする請求項３に記載のカードゲーム装置。
【請求項５】
前記カードの表面には前記ヒント画面が複数並んで表示され、前記ヒント繰出し手段は前記ヒント遮蔽部材を移動させて前記ヒント画面の露出数を順次に増加させることができるように構成されていることを特徴とする請求項４に記載のカードゲーム装置。
【請求項６】
前記可視度調節手段は、人為的操作可能な第１の操作子を備え、前記第１の操作子の人為的操作によって作動するように構成されていることを特徴とする請求項１から請求項５いずれか一項に記載のカードゲーム装置。
【請求項７】
前記ヒント繰出し手段は、人為的操作可能な第２の操作子を備え、前記第２の操作子の人為的操作によって作動するように構成されていることを特徴とする請求項４又は請求項５に記載のカードゲーム装置。 
【手続補正３】
【補正対象書類名】図面
【補正対象項目名】図２
【補正方法】変更
【補正の内容】
【図２】
2011143093.tif 000012